(57)【特許請求の範囲】
【請求項１】
デジタル画像データを、第１色空間の画像データに変換する第１画像処理手段と、
前記第１色空間の画像データを、プリントもしくはモニタに再現する可視像の色再現を定義する第２色空間の画像データに変換する第２画像処理手段とを有し、
前記第２画像処理手段は、前記可視像における白色をこの可視像における最明色より高濃度の画像として定義し、かつ、この白色の画像データを、第２色空間における画像データの最大値もしくは最小値よりも内側に設定して、第２色空間の画像データには白色よりも明るい画像データが存在し、さらに、前記可視像における白色の色度値のｂ＊を大きくする方向に第１色空間の画像データを変換して第２色空間の画像データとすることを特徴とする画像処理装置。
【請求項２】
フィルム原稿に記録された画像を光電的に読み取る読取手段と、前記読取手段から出力された画像データをＡ／Ｄ変換してデジタル画像データとするＡ／Ｄ変換手段とを有し、前記第１画像処理手段は、前記Ａ／Ｄ変換手段から出力されたデジタル画像データを、第１色空間の画像データに変換する請求項１に記載の画像処理装置。
【請求項３】
前記可視像が、プリントに再現される画像であり、かつ、前記可視像が再現されるプリントの最明色の色度値のｂ＊が負の値である請求項１または２に記載の画像処理装置。
【請求項４】
前記第１色空間は、フィルムの色再現を定義する色空間である請求項２または３に記載の画像処理装置。
【発明の詳細な説明】
【０００１】
【発明の属する技術分野】
本発明は、フィルム原稿の画像を光電的に読み取り、この画像が再現された出力画像を得るための画像処理を行う、画像処理装置の技術分野に属する。
【０００２】
【従来の技術】
現在、ネガフィルム、リバーサルフィルム等の写真フィルム（以下、フィルムとする）に撮影された画像の感光材料（印画紙）への焼き付けは、フィルムの画像を感光材料に投影して感光材料を面露光する、いわゆる直接露光によって行われている。
【０００３】
これに対し、近年では、デジタル露光を利用する焼付装置、すなわち、フィルムに記録された画像を光電的に読み取って、読み取った画像をデジタル信号とした後、種々の画像処理を施して記録用の画像データとし、この画像データに応じて変調した記録光によって感光材料を走査露光して画像（潜像）を記録し、プリントとするデジタルフォトプリンタが実用化された。
【０００４】
デジタルフォトプリンタでは、フィルムを光電的に読み取り、信号処理によって色濃度補正が行われて露光条件が決定される。従って、露光時のオペレータによる露光条件の決定、さらにはフィルタや絞り等の調整が不要で、１画像当たりの露光にかかる時間は短時間であり、また、露光時間も画像サイズに応じて一定であるため、従来の面露光に比して迅速な焼き付を行うことができる。
しかも、複数画像の合成や画像分割等のプリント画像の編集や、色／濃度調整、輪郭強調等の各種の画像処理も自由に行うことができ、用途に応じて自由に処理した仕上りプリントを出力できる。また、仕上りプリントの画像は、画像データとして扱われるので、画像データをコンピュータ等に供給することができ、また、フロッピーディスク等の記録媒体に保存しておくこともできる。
さらに、従来の直接露光によるプリントでは、分解能、色／濃度再現性等の点で、フィルム等に記録されている画像をすべて再生することはできないが、デジタルフォトプリンタによればフィルムに記録されている画像（濃度情報）をほぼ１００％再現したプリントが出力可能である。
【０００５】
このようなデジタルフォトプリンタは、基本的に、フィルムに記録された画像を光電的に読み取るスキャナ（画像読取装置）、読み取った画像を画像処理して画像記録の露光条件を決定する画像処理（セットアップ）装置、および決定された露光条件に従って感光材料を走査露光して現像処理を施すプリンタ（画像記録装置）より構成される。
【０００６】
スキャナでは、光源から射出された読取光をフィルムに入射して、フィルムに撮影された画像を担持する投影光を得て、この投影光を結像レンズによってＣＣＤセンサ等のイメージセンサに結像して光電変換することにより画像を読み取り、必要に応じて各種の画像処理を施した後に、フィルムの画像データ（画像データ信号）として画像処理装置に送る。
画像処理装置は、プレスキャンの画像データから画像処理条件を設定して、設定した条件に応じた画像処理を本スキャンの画像データに施し、画像記録のための出力画像データ（露光条件）としてプリンタに送る。
プリンタでは、例えば、光ビーム走査露光を利用する装置であれば、画像処理装置から送られた画像データに応じて光ビームを変調して、この光ビームを主走査方向に偏向すると共に、主走査方向と直交する副走査方向に感光材料を搬送することにより、画像を担持する光ビームによって感光材料を露光（焼付け）して潜像を形成し、次いで、感光材料に応じた現像処理等を施して、フィルムに撮影された画像が再生された仕上りプリント（写真）とする。
【０００７】
【発明が解決しようとする課題】
ところで、仕上りプリントの仕上り（画質）を左右する重要な要件として、人間の肌の仕上り、緑や空等の背景の仕上り等の各種の要件があるが、重要な要件の一つとして、ハイライトすなわち白色が良好な再現が挙げられる。
【０００８】
高画質な画像では、白色が、色味（彩度）が無く、かつ明るい（明度が高い）ことが要求される。ところが、前述のデジタルフォトプリンタのみならず、従来のデジタルカラープリンタでは、再生された画像の白色に青味が掛かってしまい、ハイライトおよびその近傍の色バランスが悪く、それにより、全体的な画質も低下してしまうという問題点がある。
【０００９】
本発明の目的は、前記従来技術の問題点を解決することにあり、フィルムに記録された画像から、プリントやディスプレイに再現された可視像を得るに際し、ハイライトすなわち白色ならびにその近傍の画像が良好に再現された、高画質な可視像を再現することができ、かつ、フィルムに記録された白色よりも明るい画像も再生して、フィルムの記録領域（色再現領域）を十分に生かした可視像を再現することができる画像処理装置を提供することにある。
【００１０】
【課題を解決するための手段】
前記目的を達成するために、本発明者は検討を重ねた結果、以下に示す知見を得た。
周知の様に、人間の視覚では、純粋な無彩色ではなく、より明るさを感じることができる若干の青味の掛かった色を、好ましい最明色として判断し、通常は、これを画像のハイライトすなわち白として認識する。ここで、カラープリンタでは、色素で白を再現するのが困難であることから、感光材料の色（ベース濃度）を最明色とするのが通常であり、そのため、感光材料の色は、若干青味が掛かった白とされる。
【００１１】
原稿の反射光や投影光によって感光材料を露光して可視像を得るアナログ（直接露光）のプリンタでは、感光材料は画像の白色の部分も露光され、その条件下でカラーバランスが取られるので、白に青味がかかることはなく、好ましい白が再現された高画質な画像を再現することができる。
【００１２】
これに対し、デジタルカラープリンタでは、ＣＣＤセンサ等のイメージセンサから出力されたアナログ画像データをデジタル画像データに変換した後、デジタル画像データから、フィルムに記録された画像の黒（シャドー）および白を判断して、この白〜黒までを可視像における色再現領域として決定し、白色は、より明るい画像を得るために感光材料を露光しないで再現する。
ところが、前述のように、人間が好ましいと感じる明色を再生するために、感光材料には若干の青味が掛かっている。例えば、富士フイルム社製のフジカラーレーザーペーパーは、ＣＩＥ（国際照明委員会）のＬ* ａ* ｂ* 均等色空間で、ａ* ＝０，ｂ* ＝−１．３（ｂ* のマイナス方向は青方向）の色味を持っている。
そのために、デジタルカラープリンタでは、再現された画像の白に青味が掛かり、かつ、その近傍の色のカラーバランスが狂ってしまい、画質の低下を招いている。しかも、フォトプリンタの場合には、フィルムに撮影されている、白よりも明るい画像は再現できない。
【００１３】
本発明は、このような知見を得て成されたものであり、デジタル画像データを、第１色空間の画像データに変換する第１画像処理手段と、前記第１色空間の画像データを、プリントもしくはモニタに再現する可視像の色再現を定義する第２色空間の画像データに変換する第２画像処理手段とを有し、前記第２画像処理手段は、前記可視像における白色をこの可視像における最明色より高濃度の画像として定義し、かつ、この白色の画像データを、第２色空間における画像データの最大値もしくは最小値よりも内側に設定して、第２色空間の画像データには白色よりも明るい画像データが存在し、さらに、前記可視像における白色の色度値のｂ＊を大きくする方向に第１色空間の画像データを変換して第２色空間の画像データとすることを特徴とする画像処理装置を提供する。
【００１４】
このような本発明の画像処理装置において、さらに、フィルム原稿に記録された画像を光電的に読み取る読取手段と、前記読取手段から出力された画像データをＡ／Ｄ変換してデジタル画像データとするＡ／Ｄ変換手段とを有し、前記第１画像処理手段は、前記Ａ／Ｄ変換手段から出力されたデジタル画像データを、第１色空間の画像データに変換するのが好ましい。
【００１５】
また、本発明の画像処理装置において、前記可視像が、プリントに再現される画像であり、かつ、前記可視像が再現されるプリントの最明色の色度値のｂ＊が負の値であるのが好ましく、さらに、前記第１色空間は、フィルムの色再現を定義する色空間であるのが好ましい。
【００１６】
【発明の実施の形態】
以下、本発明の画像処理装置について、添付の図面に示される好適実施例を基に詳細に説明する。
【００１７】
図１に、本発明の画像処理装置を利用するデジタルフォトプリンタの一例のブロック図が示される。
図１に示されるデジタルフォトプリンタ（以下、フォトプリンタ１０とする）は、基本的に、フィルムＦに撮影された画像を光電的に読み取るスキャナ（画像読取装置）１２と、読み取られた画像データ（画像情報）の画像処理および画像処理条件の選択・設定・変更や、フォトプリンタ１０全体の操作および制御等を行う画像処理装置１４と、画像処理装置１４で処理された画像データに応じて変調した光ビームで感光材料Ａを画像露光し、現像処理して仕上りプリントＰとして出力するプリンタ（画像記録装置）１６とを有して構成される。
また、画像処理装置１４には、様々な条件の入力（設定）、処理の選択や指示、色／濃度補正などの指示等を入力するためのキーボード１８ａおよびマウス１８ｂを有する操作系１８と、スキャナで読み取られた画像、各種の操作指示、様々な条件の設定／登録画面等を表示するディスプレイ２０が接続される。
【００１８】
スキャナ１２は、フィルムＦ等に撮影された画像を１コマずつ光電的に読み取る装置で、光源２２と、可変絞り２４と、画像をＲ（赤）、Ｇ（緑）およびＢ（青）の三原色に分解するためのＲ、ＧおよびＢの３枚の色フィルタを有し、回転して任意の色フィルタを光路に作用する色フィルタ板２６と、フィルムＦに入射する読取光をフィルムＦの面方向で均一にする拡散ボックス２８と、結像レンズユニット３２と、フィルムの１コマの画像を読み取るエリアセンサであるＣＣＤセンサ３４と、アンプ（増幅器）３６とを有して構成される。
なお、図示例のフォトプリンタ１０においては、新写真システム(Advanced Photo System）や１３５サイズのネガフィルム等のフィルムの種類やサイズ、ストリップスやスライド等のフィルムの形態、トリミング等の処理の種類等に応じて、スキャナ１２の本体に装着自在な専用のキャリアが用意されており、キャリアを交換することにより、各種のフィルムや処理に対応することができる。
【００１９】
このようなスキャナ１２においては、光源２２から射出され、可変絞り２４によって光量調整され、色フィルタ板２６を通過して色調整され、拡散ボックス２８で拡散された読取光がフィルムＦに入射して、透過することにより、フィルムＦに撮影されたこのコマの画像を担持する投影光を得る。
フィルムＦの投影光は、結像レンズユニット３２によってＣＣＤセンサ３４の受光面に結像され、ＣＣＤセンサ３４によって光電的に読み取られ、その出力信号がアンプ３６で増幅されて、画像処理装置１４に送られる。
ＣＣＤセンサ３４は、例えば、１３８０×９２０画素のエリアＣＣＤセンサである。また、図示例の装置では、ＣＣＤセンサ３４は半画素に対応する量だけ画素配列方向に二次元的に移動可能に構成されており、これにより、読取画素数を見掛け上で４倍まで増やすことができる。
【００２０】
スキャナ１２においては、このような画像読取を、色フィルタ板２６の各色フィルタを順次挿入して３回行うことにより、１コマの画像をＲ，ＧおよびＢの３原色に分解して読み取る。
ここで、フォトプリンタ１０においては、仕上りプリントＰを出力するための画像読み取り（本スキャン）に先立ち、画像処理条件等を決定するために、画像を低解像度で読み取るプレスキャンを行う。従って、１コマで、合計６回の画像読み取りが行われる。
【００２１】
前述のように、スキャナ１２からの出力信号（画像データ）は、画像処理装置１４に出力される。
図２のブロック図に示されるように、画像処理装置１４は、Ａ／Ｄ変換器３８、Ｌｏｇ変換器４０、プレスキャン（フレーム）メモリ４２、本スキャン（フレーム）メモリ４４、画像処理条件設定装置４６（以下、設定装置４６とする）、画像データ処理装置４８（以下、データ処理装置４８とする）を有する。
なお、図２は、主に画像処理関連の部位を示すものであり、画像処理装置１４には、これ以外にも、フォトプリンタ１０全体の制御や管理を行うＣＰＵ、フォトプリンタ１０全体の作動等に必要な情報を記憶するメモリ、可変絞り２４の絞り値を決定する手段等が配置され、また、操作系１８やディスプレイ２０は、このＣＰＵ等（ＣＰＵバス）を介して各部位に接続される。
【００２２】
スキャナ１２から出力されたＲ，ＧおよびＢの各出力信号は、Ａ／Ｄ変換器３８でデジタルのデータとされ、Ｌｏｇ変換器４０でＬｏｇ変換されてフィルムＦの画像濃度を示す画像データとされて、プレスキャン画像データはプレスキャンメモリ４２に、本スキャン画像データは本スキャンメモリ４４に、それぞれ記憶（格納）される。
なお、Ａ／Ｄ変換器３８から両メモリに至る間で、必要に応じて、画像データに、ＤＣオフセット補正、暗時補正、シェーディング補正等の各種の補正を施してもよい。
【００２３】
設定装置４６は、データ処理装置４８における各種の画像処理条件を算出して設定するものである。
プレスキャンメモリ４２に画像データが記憶されると、設定装置４６は、プレスキャンメモリ４２から画像データを読み出し、濃度ヒストグラムを作成して、さらに、画像特徴量（平均濃度、最大／最小濃度等）を算出する。
【００２４】
設定装置４６は、濃度ヒストグラムおよび画像特徴量から、その画像（フィルムＦに撮影された画像）における白色（ハイライト）および黒色（シャドー）を決定し、画像データの情報量（階調分解度）に応じて、白色および黒色の画像データを設定し、それに応じてフィルムの画像データを割り振って規格化し、画像データを補正するＬＵＴ（ルックアップテーブル）を作成する。
【００２５】
ここで、従来の装置では、例えば、画像データの情報量が８bit で、画像データが大きい方が低濃度（逆の場合もある）の場合には、白色の画像データを最大値の２５５、黒色の画像データを最小値の０と設定し、両者の間を割り振って２５６階調の画像データとして規格化する。すなわち、白色は無露光となり、かつ、この白色よりも外側の画像データは捨てられる（再現されない）。
【００２６】
これに対し、本発明の画像処理装置にかかるフォトプリンタ１０においては、設定装置４６は、決定した白色を、再現する画像の最明色（すなわち画像データの最大（最小）値）より内側（高濃度）で予め決定されている画像データに設定し、かつ、青味を低減する方向すなわち色度値のｂ＊を大きくする方向に画像データを変換する。例えば、得られた濃度ヒストグラムが図３に示されるもので、画像の黒色（Ｄｍａｘ）および白色（Ｄｗ）が図示される位置に決定された場合には、画像データが８bitであれば、黒色を画像データ０、白色を例えば予め決定されている画像データ２４０として設定する。
次いで、黒色＝画像データ０、白色＝画像データ２４０を用いて、フィルムの画像データを０〜２５５に割り振って２５６階調の画像データとして規格化し、画像データを補正するＬＵＴすなわち階調補正テーブルを作成し、データ処理装置４８に設定する。従って、この階調テーブルで補正された２４０を超える画像データは、白色よりも明るい画像データである。
【００２７】
そのため、本発明の画像処理装置によれば、白色が未露光の感光材料Ａではないので、後述するプリンタ１６における画像データに応じた露光量を適正に設定することにより、白色およびその近傍に青味がかかることがなく、この領域が適正に再現された高画質な再現画像を得ることができる。
また、従来は捨てられていた、フィルムＦに撮影された白色よりも明るい画像も、規格化された最明部（最低濃度）であるＤmin まで再現できるので、よりフィルムＦを好適に再現した仕上りプリントを得ることができる。
【００２８】
本発明の画像処理装置において、白色の画像データを画像データの最大値（あるいは最小値）のどれくらい内側のデジタルデータにするかには特に限定はないが、好ましくは、プリント濃度で０．０２〜０．１程度に相当する画像データ分内側に設定すればよい。
【００２９】
さらに、図示例においては、設定装置４６は、前述の濃度ヒストグラムや画像特徴量等から、電子変倍（拡大／縮小）率、ダイナミックレンジの圧縮および／または伸張（画像処理による覆い焼き効果等の付与）の処理条件、シャープネス処理（鮮鋭化処理）条件等を算出して、データ処理装置４８に設定する。
【００３０】
設定装置４６による画像処理条件の設定が終了すると、必要に応じて、プレスキャンメモリ４２から画像データが読み出され、この画像処理条件に応じて処理されたプレスキャン画像がディスプレイ２０に表示され、必要に応じて検定および色／濃度調整や階調調整等が行われ、画像処理条件が補正される。
なお、一般的にディスプレイの最明色も同様の理由で青味が掛かっているが、画像データに本発明の画像処理装置による処理を施してディスプレイ２０に表示することにより、白色およびその近傍に青味がかかることがなく、この領域が適正に再現された高画質な再現画像を出力することができる。
【００３１】
画像処理条件が確定すると、データ処理装置４８によって本スキャンメモリ４４から本スキャン画像データが読み出され、前述の階調補正テーブルによる処理を始めとして、電子変倍処理、ダイナミックレンジの圧縮および／または伸張、シャープネス等の各種の画像処理が施され、出力用画像データとしてプリンタ１６に出力される。
【００３２】
図４に、プリンタ１６の概略図が示される。
プリンタ１６は、ドライバ５０、露光部５２および現像部５４を有して構成されるものであり、画像処理装置１４（データ処理装置４８）から送られた画像データに応じて光ビームＬを例えばパルス幅変調し、感光材料Ａを露光する。
【００３３】
画像処理装置１４からの画像データは、ドライバ５０に送られる。
ドライバ５０は、画像処理装置１４（データ処理装置４８）から送られた画像データを、記録画像（露光量）に応じたＡＯＭ５６のパルス幅変調の駆動信号に変換し、各ＡＯＭ５６を駆動する。
ここで、この画像データからＡＯＭ５６の駆動信号への変換テーブル等は、白色の画像データ（前述の例では画像データ２４０）における記録画像が適正な白色となるように設定される。すなわち、感光材料Ａは通常若干の青味を有するので、適正な白色を再現するために、白色の画像データ２４０では感光材料Ａが若干黄色に発色するように、Ｒ露光、Ｇ露光およびＢ露光の各ＡＯＭ５６の駆動信号（各光ビームＬによる露光量）が設定される。従って、画像データ２４０以上では、徐々に露光量が低下して白色よりも明色となり、画像データ２５５で無露光となる。画像データからＡＯＭ５６の駆動信号への変換は、これ以外は、通常の画像露光装置と同様でよい。
【００３４】
露光部５２は、光ビーム走査によって感光材料Ａを走査露光して、前記画像データの画像を感光材料Ａに記録するもので、図４に概念的に示されるように、感光材料Ａに形成されるＲ感光層の露光に対応する狭帯波長域の光ビームを射出する光源５８Ｒ、以下同様にＧ感光層の露光に対応する光源５８Ｇ、およびＢ感光層の露光に対応する光源５８Ｂの各光ビームの光源、各光源より射出された光ビームを、それぞれ記録画像に応じて変調するＡＯＭ５６Ｒ、５６Ｇおよび５６Ｂ、光偏向器としてのポリゴンミラー６０、ｆθレンズ６２と、感光材料Ａの副走査搬送手段を有する。
【００３５】
光源５８（５８Ｒ、５８Ｇ、５８Ｂ）より射出され、互いに相異なる角度で進行する各光ビームは、それぞれに対応するＡＯＭ５６（５６Ｒ、５６Ｇ、５６Ｂ）に入射する。各ＡＯＭ５６には、ドライバ５０より記録画像すなわち画像処理装置７４から供給された画像データに応じた、Ｒ、ＧおよびＢそれぞれの駆動信号が転送されており、入射した光ビームを記録画像に応じて変調する。
【００３６】
ＡＯＭ５６によって変調された各光ビームは、ポリゴンミラー６０の略同一点に入射して反射され、主走査方向（図中矢印ｘ方向）に偏向され、次いでｆθレンズ６２によって所定の走査位置ｚに所定のビーム形状で結像するように調整され、感光材料Ａに入射する。なお、露光部５２には、必要に応じて光ビームの整形手段や面倒れ補正光学系が配置されていてもよい。
【００３７】
一方、感光材料Ａは長尺なものであり、ロール状に巻回されてマガジン化された状態で所定位置に装填されている。
このような感光材料Ａは引き出しローラ（図示省略）で引き出され、走査位置ｚを挟んで配置される副走査手段を構成する搬送ローラ対６４ａおよび６４ｂによって、走査位置ｚに保持されつつ主走査方向と直交する副走査方向（図中矢印ｙ方向）に搬送される。
光ビームは主走査方向に偏向されているので、副走査方向に搬送される感光材料Ａは光ビームによって全面を２次元的に走査露光され、感光材料Ａに、画像処理装置１４から転送された画像データの画像（潜像）が記録される。
【００３８】
露光を終了した感光材料Ａは、次いで搬送ローラ対６６によって現像部５４に搬入され、現像処理を施され仕上りプリントＰとされる。
ここで、例えば感光材料Ａが銀塩感光材料であれば、現像部５４は発色現像槽６８、漂白定着槽７０、水洗槽７２ａ、７２ｂ、７２ｃおよび７２ｄ、乾燥部およびカッタ（図示省略）等より構成され、感光材料Ａはそれぞれの処理槽において所定の処理を施され、乾燥された後、カッタによってプリント１枚に対応する所定長に切断され、仕上りプリントＰとして出力される。
【００３９】
以下、図示例のフォトプリンタ１０の作用と共に、本発明の画像処理装置の作用について説明する。
フォトプリンタ１０において仕上りプリントＰを作製する際には、オペレータは、原稿となるフィルムＦに応じたキャリアをスキャナ１２にセットし、また、マウス１８ｂ等を用いて、必要な指示を行う。
一方で、スキャナ１２の光源２２の光量等、フォトプリンタ１０が所定の状態にあることを確認されると、オペレータは、フィルムＦをスキャナ１２（キャリア）の所定位置にセットし、１コマ目が所定の読み取り位置に搬送される。
【００４０】
ここで読み取り開始の指示を出すと、スキャナ１２においては、まず、プレスキャンが開始される。
プレスキャンが開始されると、光源２２から射出された読取光が、可変絞り２４で光量調整され、光路Ｌに挿入された色フィルタ板２６のフィルタ、例えばＧフィルタで調光されて、フィルムＦの１コマ目に入射して透過し、このコマに撮影された画像（Ｇ画像）を担持する投影光が得られる。
この投影光は、結像レンズユニット３２によってＣＣＤセンサ３４の有効画素領域内に結像され、フィルムＦのＧ画像が読み取られ、増幅器３６で増幅されて画像処理装置１４に送られ、Ａ／Ｄ変換器３８でＡ／Ｄ変換され、Ｌｏｇ変換器４０で変換され、プレスキャンメモリ４２に記憶される。Ｇ画像の読み取りが終了すると、同様にして、例えば、Ｂ画像、続いてＲ画像が読み取られ、順次プレスキャンメモリ４２に格納されて、プレスキャンが終了する。
【００４１】
一方、画像処理装置１４においては、設定装置４６がプレスキャンメモリ４２からプレスキャン画像データを読み出し、濃度ヒストグラムの作成、画像特徴量の算出等を行い、この画像における黒色（シャドー）と白色（ハイライト）を決定し、黒色の画像データを０、白色の画像データを最大値の内側の予め設定された数値、例えば、前述のように８bit の画像データ２４０に設定し、両者を用いて画像データを２５６階調に割り振って規格化して階調補正テーブルを作成し、データ処理装置４８に設定する。
また、設定装置４６は、これ以外の電子倍率やシャープネス処理条件も決定してデータ処理装置４８に設定する。
必要に応じてオペレータによる検定が行われ、画像処理条件が確定する。
【００４２】
この後、本スキャンが開始されると、プレスキャンと同様に、フィルム原稿のＧ画像、Ｂ画像およびＲ画像が、順次読み取られて画像処理装置１４に送られ、本スキャンメモリ４４に格納される。
本スキャンメモリ４４に格納された画像データは、順次読み出され、設定された階調補正テーブルや各種の画像処理条件に応じた画像処理を施され、出力用画像データとしてプリンタ１６に出力される。
なお、１コマ目の読取（本スキャン）が終了すると、キャリアによってフィルムＦが１コマ分搬送され、次のコマの画像が読み取られる。
【００４３】
プリンタ１６においては、マガジンから引き出された感光材料Ａを、副走査方向に搬送しつつ、画像処理装置１４から送られた画像データに応じて変調して主走査方向に偏向した光ビームで走査露光を行い、潜像を形成する。なお、本発明に掛かるフォトプリンタ１０においては、フィルムＦに撮影された画像の白色部分も感光材料Ａが露光されて再現されるので、白色およびその近傍の画像が青味のない好適な画像に再現されると共に、フィルムＦに撮影された白色よりも明るい画像も、好適に再現される。
露光された感光材料Ａは、現像部５４において、発色現像、漂白定着、水洗の各処理を順次施されて現像され、乾燥されて、プリント毎に切断されて仕上りプリントＰとされる。
【００４４】
以上、本発明の画像処理装置について詳細に説明したが、本発明は上記実施例に限定はされず、本発明の要旨を逸脱しない範囲において、各種の改良および変更を行ってもよいのはもちろんである。
【００４５】
【発明の効果】
以上、詳細に説明したように、本発明の画像処理装置によれば、フィルムに記録された画像から、ハイライトすなわち白色ならびにその近傍の画像が良好に再現された、高画質な可視像を再現することができ、かつ、フィルムに記録された白色よりも明るい画像も再現して、フィルムの記録領域を十分に生かした好適な可視像を再現することができる。
【図面の簡単な説明】
【図１】  本発明の画像処理装置を利用するデジタルフォトプリンタの一例のブロック図である。
【図２】  図１に示されるデジタルフォトプリンタの画像処理装置の一例のブロック図である。
【図３】  本発明の画像処理装置を説明するための濃度ヒストグラムの一例である。
【図４】  図１に示されるデジタルフォトプリンタのプリンタの一例の概略図である。
【符号の説明】
１０  （デジタル）フォトプリンタ
１２  スキャナ
１４  画像処理装置
１６  プリンタ
１８  操作系
２０  ディスプレイ
２２  光源
２４  可変絞り
２６  色フィルタ板
２８  拡散ボックス
３２  結像レンズユニット
３４  ＣＣＤセンサ
３６  アンプ
３８  Ａ／Ｄ変換器
４０  ｌｏｇ変換器
４２  プレスキャンメモリ
４４  本スキャンメモリ
４６  （画像処理条件）設定装置
４８  （画像）データ処理装置
５０  ドライバ
５２  露光部
５４  現像部
５６  ＡＯＭ
５８  光源
６０  ポリゴンミラー
６２，６６  搬送ローラ対
６８  発色現像槽
７０  漂白定着槽
７２  水洗槽
【図１】
0003785234.tif 000002
【図２】
0003785234.tif 000003
【図３】
0003785234.tif 000004
【図４】
0003785234.tif 000005